(57)【要約】【課題】  近年、携帯電話の小型化や実装上の都合で、マイクが操作者の口腔と正対する位置にないことが増えてきた。掛かる携帯電話機で通話をすると、通話相手の声が聞き取りづらい時には筐体前面に顔が密着し、マイクの感度や集音性が低下する。【解決手段】  操作部の近傍に伝声路である音孔を設ける際には、操作部及び音孔の周囲にスリットを設ける。顔が密着するような状況でもある程度の伝声路が確保され集音声が一定以上に確保されることとなる。【選択図】  図１
2005136722.tif 000002
【特許請求の範囲】
【請求項１】
マイク及び操作部を有する筐体を含む携帯電話機であって、
前記操作部の近傍に伝声若しくは集音用の音孔を配し、
前記操作部及び前記音孔の周囲にスリットを設けることを特徴とする携帯電話機。
【請求項２】
請求項１記載の携帯電話機であって、
前記操作部は電話番号入力用のテンキーであることを特徴とする携帯電話機。
【請求項３】
請求項１記載の携帯電話機であって、
前記操作部は電源キーであることを特徴とする携帯電話機。
【請求項４】
請求項１記載の携帯電話機であって、
前記操作部は四方向キーであることを特徴とする携帯電話機。
【請求項５】
請求項１記載の携帯電話機であって、
前記操作部はショートカットキーであることを特徴とする携帯電話機。
【請求項６】
マイク及び装飾用モールドを有する筐体を含む携帯電話機であって、
前記装飾用モールドの近傍に伝声若しくは集音用の音孔を配し、
前記装飾用モールド及び前記音孔の周囲にスリットを設けることを特徴とする携帯電話装置。
【発明の詳細な説明】
【技術分野】
【０００１】
本発明は、携帯電話機等の小型携帯無線機に用いる内蔵アンテナであって複数の周波数帯に対応すべく複数の周波数を独立して調整できるものに関する。
【背景技術】
【０００２】
携帯電話機及びＰＨＳ（パーソナルハンディフォンシステム）は、双方の全契約者数が８２００万人を越え（２００３年６月末時点）、一般的に所持されているアイテムとなっている。
【０００３】
これらの機器は通話をその主な機能としており、着信した音声データを再生するスピーカの品質が重要になる。当然のことではあるが、高品位の音質の再生ができることが求められる。加えて、従来のスピーカの使用用途の一つである着呼の通知に関しては、内蔵音源チップの和音性能の向上から、より高度な表現力が求められるようになっている。近年、着信のリンガとして声や歌と言ったものも用いられるようになり、音質の向上に対する要望が益々高くなってきている。
【０００４】
併せて、集音も同様に無視し得ない事項である。集音用のマイクは音源が操作者の口なので比較的声の大きさは自由に調整ができることから、多数の取りつけ位置が考えられる。例えば折畳型携帯電話などでは折り畳んだ時にスピーカと対向する位置近辺や、ヒンジ近傍等にマイクを設けることが考えられる。
【０００５】
ここで通常携帯電話機の設計に際しては、操作者の耳に合わせてスピーカの位置を決める考え方と操作者の口腔に合わせてマイクの位置を定める方法の二通りの考え方があるが、通常は前者が用いられる。何故なら、スピーカの出力はスピーカの性能及び携帯電話機の設定で一定に定められるが、マイクの拾う音は操作者が大きな声を発することで自由に調整が可能だからである。従ってマイクの位置は操作者の口腔と正対する位置にあることは稀で、口腔から相当はなれた場所に位置することも珍しくない。この傾向は携帯電話機の小型化で更に顕著となり、ヨーロッパやアジア各地で広く普及しているいわゆるキャンディーバー型（ストレート型）携帯電話機では、携帯電話の全長が操作者の耳と口腔との距離に満たないものも数多く存在する。
【０００６】
このマイクの集音性の向上を果たそうとすると、マイクをより高性能かつ高価な物を用いる事が考えられるが、これ以外にも数多くの発明がなされている。例えば、特開平０７−１３１８４９号においては、携帯電話機の筐体背面に音孔を設けることで、集音性の向上を図ることが記載されている。
【０００７】
また、特開平０８−０９７８９５号記載のフリップ型携帯電話機では携帯電話機のフリップ取り付け部に、フリップを閉じた状態でもマイクが露出する位置にマイクを設け、フリップ内に中空にすることで、フリップを開いた時にも集音能力の減少を防ぐことが記載されている。
【０００８】
これら以外にも図５のように音孔から筐体外部に向かってスリットを施すものも存在する。
【０００９】
【特許文献１】特開平０７−１３１８４９号公報
【特許文献２】特開平０８−０９７８９５号公報
【発明の開示】
【発明が解決しようとする課題】
【００１０】
しかしながら、特開平０７−１３１８４９号のように筐体背面に音孔を設けると降雨や発汗の際に軽度の浸水が避けがたい。これにより、いきなり動作しなくなると言うことはないが、長年使いつづけることでカメラ等の一部機能の動作に異常をきたすことも考えられる。
【００１１】
また特開平０８−０９７８９５号記載の発明のように可動部位を中空にすることは、特に内部機能を有しないフリップでは問題を生じない。しかし、折畳型携帯電話機のように各種機器が積載されている場合には部品配置の自由度低下の一因となる。
【００１２】
また図５のように音孔からのスリットを筐体の外部に向かって導出するとスリットからの浸水の怖れもある。
【００１３】
本発明の目的は、上記問題点に鑑み、筐体の外向面若しくは筐体の内部に伝声路を設けることなく、集音能力を確保する為の発明である。
【課題を解決するための手段】
【００１４】
本発明に係わる携帯電話機はマイク及び操作部を有する筐体を含み、操作部の近傍に伝声若しくは集音用の音孔を配し、操作部及び音孔の周囲にスリットを設けることを特徴とする。ここで操作部とは、電話番号入力用のテンキーや電源キー、四方向キー、ショートカットキーであってもよい。
【００１５】
また本発明に係わる携帯電話機は装飾用モールドを有し、装飾用モールドの近傍に伝声若しくは集音用の音孔を配し、装飾用モールド及び音孔の周囲にスリットを設けることを特徴とする。
【発明の効果】
【００１６】
本発明を適用した携帯電話機によると、電話中など顔を押し付けても操作部及びマイク周辺に設けられたスリットによって伝声路が確保される為、マイクの集音能力を一定以上確保し操作者の音声を確実に相手側に伝えることが可能となる。
【発明を実施するための最良の形態】
【００１７】
以下において装置名称を携帯電話機としているが、ＰＨＳ（パーソナルハンディフォンシステム）やＩＰ電話機等の相当品として実施しても良い旨先んじて述べる。また本明細書では、折畳型携帯電話機を想定して記載を行うが、必ずしもこれに拘るものではない。例えば、いわゆるキャンディーバー型（ストレート型）の携帯電話機やスライド型の携帯電話機であっても良い。
【実施例１】
【００１８】
以下、本発明に係わる携帯電話機のマイク用音孔構成の一実施の形態について、図面を参照して説明する。
【００１９】
図1は本発明の第一の実施例に係わる折畳型携帯電話機の筐体展開時の正面図を表す。
【００２０】
本実施例における折畳型携帯電話機１は音孔１２が第二筐体２２のヒンジ部２３近傍に設けられている点が特徴である。
【００２１】
本発明に係わる折畳型携帯電話機は第一筐体２１と第二筐体２２がヒンジ部２３で結合された構成を取る。第一筐体２１には表示部３１とスピーカ３２を含む。第二筐体２２には音孔１２、特殊操作部１３及びメイン操作部１４を含む。第二筐体２２表面の音孔１２及び特殊操作部１３の周囲にはスリット（凹溝）１１が施されている。また第二筐体２２の内部にはマイク２が設けられている。マイク２は音孔１２を通じて操作者の音声等を拾い、電気信号に変換して送信する。但し、本発明は携帯電話機の筐体構造に関するものであるので、携帯電話機の回路構成やブロック図は省略する。
【００２２】
スピーカ３２は着呼時の鳴動及び話中における相手方の音声を再現出力を行う。
【００２３】
第二筐体に設けられたメイン操作部１４を用いて、操作者は相手先の電話番号を入力し、通話を開始する。また相手からの呼出もメイン操作部１４の所定のキーを押すことで着呼を行うことができる。
【００２４】
本実施例における第二筐体２２の表面に施されたスリット１１は音孔１２及び特殊操作部１３の周囲に施されている。なお、メイン操作部１４の周囲にはなされていないが、これをメイン操作部１４にまで拡大することを妨げるものではない。このスリット１１の幅員及び深さは筐体内部の機器構成に併せて設計を行う必要がある。但し、深さが深ければ、顔を押圧した際に伝声路が確保される。また幅員が広いと押圧時にスリットが埋まる可能性が高い。従って、伝声路確保の効果が落ちるので、注意をして幅員の設計をする必要がある。
【００２５】
音孔１２は筐体内に設けられたマイク２が筐体外の音を拾う為に施された穴である。
【００２６】
マイク２は操作者の音声等を拾う為のデバイスである。通常マイク２は動作しないが発呼若しくは着呼により通話状態になるとマイク２に電力が供給されるが本発明においては通話時の状況を問題にしている為、通話前のマイク２の動作は特に拘らない。
【００２７】
特殊操作部１３はメニューアイテム選択用のいわゆる四方向キーや各種ショートカットキー（例えばウェブブラウザやメーラに１ボタンで行けるキー）を差す。これは通信事業者やメーカが割り付ける特殊キーなどが含まれる。これに対し、メイン操作部１４はいわゆる１０キーや＃キー、＊キーからなるテンキーや電源キー、発呼キーと言った携帯電話の通話に不可欠なキーからなることを想定している。
【００２８】
次に図２は図１のＡ−Ａ断面における筐体展開時の断面図を表す。なお本発明においてはマイク周辺の構造が重要になる為、それに関連した構造のみを表し、他の内部実装基板などは適宜省略している。また図３は図２の破線で囲まれた箇所の拡大図である。この図においてもキーシート等の実機に不可欠ではあるが本発明の説明に不要なものは省略している。
【００２９】
第２筐体にはマイク２が含まれ、これに音声を伝達させる為の伝声路としての役割を音孔１２がまかなう。そしてその音孔１２及び特殊操作部１３の周囲にスリット１１が施されている。
【００３０】
上記構成を鑑み本発明の効果を以下に説明する。
【００３１】
操作者は通話中に聞きづらくなったときには勢いスピーカ３２に耳を寄せることになる。これにより、携帯電話機の筐体前面に操作者の顔が押し付けられる。操作者の顔が押し付けられると、スリット１１が施されていない一般の携帯電話機では携帯電話機の前面に顔が密着する。この結果、スピーカ３２から発せられる音声が聞き取りやすくなる一方で、音孔１２を塞ぐ形になる。これにより集音性が低下する。
【００３２】
これに対し特殊操作部１３の周囲にまでスリット１１を施す本発明においては、顔を密着させてもスリット１１によって特殊操作部１３の周囲にまで伝声路が確保される。これにより音孔１２の集音性の低下を防ぎ、若しくは最小限に留めることが可能である。
【００３３】
なお本実施例では特殊操作部１３の近傍に音孔１２が存在する場合を述べたが、メイン操作部１４の近傍にある場合でも同様の効果を有する。この際、音孔１２及びメイン操作部１４の周囲にもスリット１１が設けられる。また、スリット１１の一部の幅が広い場合には突起を設けて少しでも伝声路を確保しても良い。更にはスリットを２方向以上に伸ばし、一方の経路が塞がっても他方の経路が塞がらない事で伝声路を確保することもできる。
【実施例２】
【００３４】
上述では、特殊操作部１３近傍に音孔１１が施されている場合を述べた。しかし、必ずしも、音孔１１が特殊操作部１３に近いとは限らない。本発明の第二の実施例では、装飾的効果を有するモールド近傍に音孔１１がある場合を想定している。
【００３５】
図４は本発明の第二の実施例に係わる折畳型携帯電話機の筐体展開時の正面図を表す。
【００３６】
本図では筐体前面に設けられたエンブレム１５の近傍に音孔１２が設けられている。このエンブレム１５は携帯電話の機種名や愛称、通信事業社名や携帯電話機メーカを表示するものである。機能的には何ら意味をなさないものである。このエンブレム１５の近傍に音孔１２ある場合には、音孔１２及びエンブレム１５の周囲にスリット１１を設けて実施例1と同様の効果を狙ったものである。
【００３７】
無論、エンブレム１５の周囲にのみスリット１１を施すことに限定する物ではない。例えば、エンブレム１５及び特殊操作部１３の双方の周囲にスリット１１を施しても良い。
【産業上の利用可能性】
【００３８】
本発明は前述の通り、携帯電話機やＰＨＳ（パーソナルハンディフォンシステム）、ＩＰ電話の他、コードレス電話などが考えられる。
【図面の簡単な説明】
【００３９】
【図１】本発明の第１の実施例に基づく折畳型携帯電話機の展開状態の正面図である。
【図２】本発明の第１の実施例に基づく折畳型携帯電話機のＡ−Ａ断面の段面スである。
【図３】本発明の第１の実施例に基づく折畳型携帯電話機の音孔周辺を表す拡大図である。
【図４】本発明の第２の実施例に基づく折畳型携帯電話機の展開状態の正面図である。
【図５】従来の折畳型携帯電話機の展開状態の正面図である。
【符号の説明】
【００４０】
１        携帯電話機
２        マイク
１１      スリット
１２      音孔
１３      特殊操作部
１４      メイン操作部
１５      エンブレム
【図１】
2005136722.tif 000003
【図２】
2005136722.tif 000004
【図３】
2005136722.tif 000005
【図４】
2005136722.tif 000006
【図５】
2005136722.tif 000007